(57)【要約】      （修正有）【課題】ロック機構を有するカートンにおいて、カートンの側面部分の各サイドフラップを強固に貼り合わせることで、側面部分の強度を向上し、側面部分において、蓋体と収容体とを確実にロックすることが可能な、ロック機構を有するカートンを提供する。【解決手段】収容体２と蓋体１とが縦方向に連設してなるカートン１０において、収容体の左右に連設するサイドフラップ５に、ロック片７を形成するとともに、蓋体の左右に連設するサイドフラップが、蓋体の内側部分に貼りあわされてなるロック溝６を形成して、ロック片と、ロック溝とが、互いに係合することにより、側面部分において、蓋体と収容体とがロックされる、ロック機構を有するカートンであって、収容体のロック片が、サイドフラップの縦方向に形成されることにより、各サイドフラップが強固に貼りあわされることを特徴とするカートンである。【選択図】図１
2010013130.tif 000002
【特許請求の範囲】
【請求項１】
収容体と蓋体とが縦方向に連設してなる、カートンにおいて、
前記収容体の左右に連設するサイドフラップに、ロック片を形成するとともに、
前記蓋体の左右に連設するサイドフラップが前記蓋体の内側部分に貼りあわされてなる、ロック溝を形成して、
前記収容体のロック片と前記蓋体のロック溝とが、互いに係合することにより、カートンの側面部分において、前記蓋体と前記収容体とがロックされる、ロック機構を有するカートンであって、
前記収容体の前記ロック片が、前記サイドフラップの縦方向に形成されることにより、カートンの側面部分の各サイドフラップが強固に貼りあわされることを特徴とする、ロック機構を有するカートン。
【発明の詳細な説明】
【技術分野】
【０００１】
本発明は、収容体のロック片と、蓋体のロック溝とが、互いに係合することにより、カートンの側面部分において、前記蓋体と前記収容体とをロックする、ロック機構を有するカートンに関する。
【背景技術】
【０００２】
従来、例えば、ラップを収容するカートン等で、蓋体１を収容体２へとロック自在に構成したロック機構を有するカートン１０が知られている（例えば、特許文献１、特許文献２）。
このようなカートン１０の一例としては、図１５（ａ）（ｂ）に示すように、蓋体１と収容体２とがヒンジを介して連設するカートン１０であって、蓋体１の内側に形成されたロック溝６と、収容体２の外側に形成されたロック片７とが、互いに係合することにより、蓋体１を収容体２へとロックする構成である。
【０００３】
そして、このようなカートン１０は、図１６に示すように、カートン１０のブランクが、蓋体１を構成する各面（前面１１、天面１２）と、収容体２を構成する各面（前面２１、底面２２、後面２３）とが、ヒンジとなる折り線４を介して縦方向に連設されている。
【０００４】
このカートン１０は、収容体２の前記底面２２の左右に連設するサイドフラップＦの横方向に形成されたロック片７と、蓋体１の前記前面１１の左右に連設するサイドフラップＦとが、互いに係止することで、蓋体と収容体とをロックする構成である。
【０００５】
しかしながら、カートンの組み立て時において、内容物Ｂをカートンへと充填する際に、カートンの側面部分より内容物を充填するが、内容物を充填後、カートンの側面部分の各サイドフラップＦを強固に貼り合わせることが困難であった。
【０００６】
すなわち、カートンを組み立てる際に、筒状のカートンを形成して、図１７（ａ）に示すように、内容物Ｂを収容した後、図１７（ｂ）に示すように、カートンの側面部分を形成する際に、前記サイドフラップＦがカートンの内方へと入り込みやすく、カートンの側面部分の貼り合わせが弱いという欠点がある。
【０００７】
よって、蓋体１をロックした際に、カートンの側面部分において、ロックが不十分となる恐れがあり、このため、サイドフラップＦを極力長く形成して互いのサイドフラップＦをオーバーラップさせる等の工夫を講じることにより、カートンの側面部分を貼り合わせる必要があった。（図中点線）
【０００８】
しかし、このカートン１０は、カートンの側面部分の幅が狭いため、オーバーラップするサイドフラップの長さが短くても、容易にサイドフラップＦを容易にオーバーラップさせることが可能であるが、カートン１０の形状によっては、サイドフラップＦを長く形成しても、サイドフラップＦをオーバーラップさせることが困難な場合がある。
【０００９】
例えば、菓子類を収容するカートン１０であって、図１８（ａ）（ｂ）に示すように、蓋体１と収容体２とからなり、カートン１０の側面部分において、ロック片７とロック溝６とが互いに係止して蓋体１と収容体２とをロックする構成のカートンブランクは、図１９に示すように、収容体２の底面２２の左右に連設したサイドフラップＦにロック片７を横方向に有し、かつ、蓋体１にロック溝６を形成するためのサイドフラップＦを有しており、カートンの側面部分において、蓋体１と収容体２とをロックする構成である。
【００１０】
しかしながら、このカートン１０は、カートン側面部分の奥行き幅が大きく、図２０（ａ）に示すように、内容物Ｂをカートンの側面部分から充填し、カートンの側面部分のサイドフラップＦを貼り合わせる際に、図２０（ｂ）に示すように、サイドフラップＦがカートンの内部へと入り込んでしまうため、カートンの側面部分の貼り合わせが弱いという欠点があった。このためカートンの側面部分の強度が低下しやすく、蓋体のロックが不安定となる欠点があった。
【００１１】
【特許文献１】特開２０００−２２９６２９号公報
【特許文献２】特開２００５−２６３２９８号公報
【発明の開示】
【発明が解決しようとする課題】
【００１２】
本発明は、ロック機構を有するカートンにおいて、カートン組み立て時に、カートンの側面部分の各サイドフラップを強固に貼り合わせることで、カートンの側面部分の強度を向上し、カートンの側面部分において、蓋体と収容体とを強固かつ確実にロックすることが可能な、ロック機構を有するカートンを提供することを課題とする。
【課題を解決するための手段】
【００１３】
上記課題を解決すべく、本発明の請求項１記載の発明は、収容体と蓋体とが縦方向に連設してなる、カートンにおいて、前記収容体の左右に連設するサイドフラップに、ロック片を形成するとともに、前記蓋体の左右に連設するサイドフラップが前記蓋体の内側部分に貼りあわされてなる、ロック溝を形成して、前記収容体のロック片と前記蓋体のロック溝とが、互いに係合することにより、カートンの側面部分において、前記蓋体と前記収容体とがロックされる、ロック機構を有するカートンであって、前記収容体の前記ロック片が、前記サイドフラップの縦方向に形成されることにより、カートンの側面部分の各サイドフラップが強固に貼りあわされることを特徴とする、ロック機構を有するカートンである。
【発明の効果】
【００１４】
本発明の請求項１記載の発明は、収容体と蓋体とが縦方向に連設してなる、カートンにおいて、前記収容体の左右に連設するサイドフラップに、ロック片を形成するとともに、前記蓋体の左右に連設するサイドフラップが前記蓋体の内側部分に貼りあわされてなる、ロック溝を形成して、前記収容体のロック片と前記蓋体のロック溝とが、互いに係合することにより、カートンの側面部分において、前記蓋体と前記収容体とがロックされる、ロック機構を有するカートンであって、前記収容体の前記ロック片が、前記サイドフラップの縦方向に形成されることを特徴とするから、カートン組み立て時において、カートンの側面部分の各サイドフラップを強固に貼り合わせることが可能である。
よって、カートンの側面部分の強度を向上し、カートンの側面部分において、蓋体と収容体とを確実にロックすることが可能であり、カートンのロック性能を向上することが可能である。
【発明を実施するための最良の形態】
【００１５】
本発明に係るロック機構を有するカートン１０（カートン１０）の一例としては、図１（ａ）（ｂ）に示すように、内容物を収容する収容体２と、該収容体２を閉封するための開閉自在な蓋体１とからなるカートン１０であって、前記収容体２に形成されたロック片７が、前記蓋体１の内側に形成されたロック溝６へと掛止することにより、カートン１０の側面部分において、蓋体１と収容体２とをロックすることが可能である。
【００１６】
特に、蓋体１を閉封するだけの簡単な操作により、前記蓋体１が前記収容体２へと自動的にロックされるため、従来構成である、蓋体１の舌片を収容体２のスリット等の貫通孔へと挿入してロックする手間を生じることなく、使用性の高いカートン１０を提供することが可能である。
【００１７】
また、本発明のカートン１０は、後述する、前記収容体２の前記ロック片７が、サイドフラップ２１Ｆの縦方向に形成されることにより、カートンの組み立て時において、カートンの各サイドフラップ（２１Ｆ、２２Ｆ、２３Ｆ、１２Ｆ、５）を、強固に貼り合わせることが可能である。よって、カートン１０側面部分の強度を向上して、蓋体１と収容体２とを確実にロックすることが可能である。
【００１８】
次に、本発明のカートン１０の主な構成について説明する。
本発明のカートン１０に係るブランクの一例としては、図２に示すように、収容体２の各面（前面２１、底面２２、後面２３）と、蓋体１の各面（天面１２、前面１１）とが折り線を介して縦方向に連設されており、収容体の後面２３と、蓋体の天面１１とが連設する折り線をヒンジ４として、蓋体１と収容体２とが連設している。
【００１９】
また、前記蓋体１の、天面１２の左右に連接するサイドフラップ１２Ｆには、斜め方向のスリットＳが形成され、他方、前記蓋体１の前面１１には、水平方向かつ平行する２つのスリットＳからなるジッパ３が形成されており、後述する、蓋体１の初期開封時において、前記ジッパ３を切除した後、前記蓋体１を開封することにより、前記サイドフラップ１２ＦのスリットＳが切除されて、蓋体１を初期開封する構成である。
【００２０】
前記収容体２の各面（前面２１、底面２２、後面２３）および前記蓋体１の各面（天面１２、前面１１）の左右には、カートンの側面部分を形成するための、複数のサイドフラップ（２１Ｆ、２２Ｆ、２３Ｆ、１２Ｆ、５）が形成されている。
すなわち、収容体２の各面（２１、２２、２３）の左右には、サイドフラップ２１Ｆ、２２Ｆ、２３Ｆがそれぞれ形成され、蓋体１の各面（１１、１２）の左右には、サイドフラップ５、１２Ｆがそれぞれ形成されている。
【００２１】
そして、後述する、カートン１０の組み立て時において、前記サイドフラップを除く各面（前面２１、底面２２、後面２３、天面１２、前面１１）を折り込み貼り合わせて、スリーブ状のカートンを形成した後、該スリーブ状のカートンを引き起こして筒状のカートンを形成するとともに、該筒状のカートンへと内容物を充填し、前記サイドフラップ（２１Ｆ、２２Ｆ、２３Ｆ、１２Ｆ、５）を折り込み貼り合わせることで、本発明のカートン１０を形成することが可能である。
【００２２】
特に、本発明のカートン１０は、収容体２のサイドフラップ２１Ｆに形成されるロック片７が、前記サイドフラップ２１Ｆの縦方向に形成されており、カートン１０の組み立て時において、前記複数のサイドフラップ（２１Ｆ、２２Ｆ、２３Ｆ、１２Ｆ、５）を強固に貼り合わせることが可能である。よって、カートン１０の側面部分の強度を向上し、カートンの側面部分において、蓋体１と収容体２とを確実にロックすることが可能である。
又、図２に示すように、収容体２のサイドフラップ２１Ｆに形成されるロック片７は、サイドフラップ２１Ｆとの間にミシン目や切れ込みを入れて折れ曲がった時の反発力を調整する。即ち蓋体１と収容体２の閉封時に、スムーズな閉封を実現出来る。
なお、従来例では（図１９参照）、収容体２のサイドフラップ２１Ｆに形成されるロック片７が、前記サイドフラップ２１Ｆの縦方向に形成されているので、従来のようにロック片７が収容体２の底面２２の左右に連設したサイドフラップＦにロック片７を横方向に飛び出しているため横方向に紙材の無駄があったが、本発明はこれを防止できる。
【００２３】
また、前記蓋体１の、前面１１の左右に連設するサイドフラップ５には、一部切欠き６が形成されており、該切欠き部分６が、後述する、ロック片７を掛止するためのロック溝６を形成するものである。また、前記サイドフラップ２２Ｆに切欠き８が形成されており、後述する、前記ロック片７が、前記サイドフラップ２１Ｆの切欠き８へと入り込む構成である。これにより、前記ロック片７の納まりが良くなり、蓋体の開閉をスムースに行うことが可能である。
【００２４】
次に、このようなブランクから本発明のカートン１０を組み立てる方法の一例について説明する。
まず、図３（ａ）のように、蓋体１の底面２２と後面２３間を折り込む。この時、天面１２のサイドフラップ１２Ｆと前面１１のサイドフラップ５の間に形成されたロック溝６に、収容体の前面２１のサイドフラップ２１Ｆに形成されたロック片７が入り込み、ロック片７が折れ曲がらない。なお前記ロック溝６は余裕をもって大きく形成するとロック片７の折れ曲がりを一層防止できる。次に蓋体の前面１１をその上に被せる様に、前面１１と天面１２間で折り込み、収容体の前面２１へと蓋体の前面１１を貼り合わせて、スリーブを形成する。図中１１Ｎは接着剤であり、２１Ｎは被接着部分である（図３参照）。
【００２５】
そして、このようなスリーブ状のカートンを、製函充填機にて引き起こすことで、図４（ａ）に示すように、筒状のカートンを形成する。このとき、前記ロック片７は、上方へと起立しており、これにより、後述する、カートン１０の側面部分の各サイドフラップを強固に貼り合わせることが可能である。
【００２６】
次に、図４（ｂ）に示すように、蓋体の各サイドフラップ（５、１２Ｆ）および収容体の各サイドフラップ（２１Ｆ、２２Ｆ、２３Ｆ）を、それぞれ外方へと折り込んでカートンの側面部分を開放した後、図５（ａ）に示すように、カートンの側面部分より内容物Ｂを充填する。
【００２７】
そして、前記内容物Ｂの充填後、図５（ｂ）に示すように、前面２１のサイドフラップ２１Ｆおよび後面２３のサイドフラップ２３Ｆを、それぞれ内方へと折り込む。（図中矢印）
このとき、前記サイドフラップ２１Ｆのロック片７が、上方すなわち縦方向へと突出しており、このため、前記ロック片７が、天面１２のサイドフラップ１２Ｆへと当接した状態となる。これにより、ロック片７がストッパーとなり、前記サイドフラップ２１Ｆが筒状のカートン内部へと入り込んでしまうことを防止することが可能である。
【００２８】
よって、図６（ａ）に示すように、底面２２のサイドフラップ２２Ｆを上方へと折り込み、左右のサイドフラップ（２１Ｆ、２３Ｆ）へと貼り合わせる際に、前記ロック片７がストッパーとなるため、前記サイドフラップ２１Ｆ、２３Ｆが筒状カートンの内部へと入り込むことを防ぐことが可能であり、前記サイドフラップ２２Ｆを、左右のサイドフラップ（２１Ｆ、２３Ｆ）へと強固に貼り合わせることが可能である。このように、前記収容体２の前記ロック片７が、前記サイドフラップの縦方向に形成されることにより、カートン１０の側面部分の各サイドフラップ（２１Ｆ，２２Ｆ，２３Ｆ）を強固に貼り合わせることが可能である。
【００２９】
そして、図６（ｂ）に示すように、サイドフラップ５を内方へと折り込んだ後、最後に、天面１２のサイドフラップ１２Ｆとともに前記ロック片７を下方へと折り込み、貼り合わせることで、図７（ａ）に示すように、本発明のカートン１０を形成することが可能である。なお、図６（ａ）のサイドフラップ（２１Ｆ、２３Ｆ）の中の縦長の略矩形で中が破線で示されている部分及び図６（ｂ）のサイドフラップ５の同様の横長の矩形で中が破線の部分は、接着剤が貼付されていることを示している。
【００３０】
本発明のカートン１０の開封時には、図７（ｂ）に示すように、蓋体１の前記ジッパ３を切除した後、蓋体１を持ち上げることにより、蓋体のサイドフラップ１２Ｆのスリットが切除されて、図８（ａ）に示すように、蓋体を開封することが可能である。
特に、図８（ｂ）に示すように、前記ロック片７が、前記サイドフラップ２１Ｆの切欠き８へと入り込むため、前記ロック片７の納まりが良くなり、蓋体の開閉をスムースに行うことが可能である。
【００３１】
また、カートンの閉封時には、図９（ａ）に示すように、蓋体１を閉じるだけで、収容部のロック片７が、自動的に蓋体１のロック溝６へと入り込み、図９（ｂ）に示すように、蓋体１をロックすることが可能である。このように、蓋体１を閉封するだけの簡単な操作により、蓋体１と収容体２とを自動的にロックすることが可能である。
【００３２】
特に、本発明のカートン１０は、カートン１０の側面部分の各サイドフラップを強固に貼り合わせることが可能であり、このため、カートン１０の側面部分の強度が向上し、カートン１０の側面部分において、蓋体１と収容体２とを確実にロックすることが可能である。よって、蓋体の度重なる開閉により、カートンの側面部分の強度が低下することなく、カートンのロック性能が低下することを防止することが可能であり、カートンの強度およびロック性能を向上したカートンを提供することが可能である。
【００３３】
このように、本発明のカートン１０は、収容体２と蓋体１とが縦方向に連設してなる、カートン１０において、前記収容体２の左右に連設するサイドフラップに、ロック片７を形成するとともに、前記蓋体１の左右に連設するサイドフラップが前記蓋体１の内側部分に貼りあわされてなる、ロック溝６を形成して、前記収容体２のロック片７と前記蓋体１のロック溝６とが、互いに係合することにより、カートン１０の側面部分において、前記蓋体１と前記収容体２とがロックされる、ロック機構を有するカートン１０であって、前記収容体２の前記ロック片７が、前記サイドフラップの縦方向に形成されることにより、カートンの側面部分の各サイドフラップが強固に貼りあわされることを特徴とするから、カートン組み立て時において、カートン１０の側面部分の各サイドフラップを強固に貼り合わせることが可能である。よって、カートン１０の側面部分の強度を向上し、カートン１０の側面部分において、蓋体１と収容体２とを確実にロックすることが可能であり、カートン１０のロック性能を向上することが可能である。
【００３４】
本発明のカートンは、上記例に限定されるものではなく、前記ロック片７が前記ロック溝６へと係止可能な形状であれば、カートンの形状等は、特に限定されるものではない。
【００３５】
例えば、本発明のカートンの別の実施例として、図１０に示すように、収容体２の各面（前面２１、底面２２、後面２３）と、蓋体１の各面（天面１２、前面１１、下面１３）とが折り線を介して縦方向に連設されている。特に、蓋体の前面１１より、ジッパ３を有する下面１３が連設されており、該下面１３を、後述する、収容体の底面２２に貼り合わせる構成である。
【００３６】
そして、前記収容体２の各面（前面２１、底面２２、後面２３）、および前記蓋体１の各面（天面１２、前面１１）の左右には、カートンの側面部分を形成するための、複数のサイドフラップ（２１Ｆ、２２Ｆ、２３Ｆ、１２Ｆ、５）が形成されている。
【００３７】
特に、サイドフラップ１２Ｆから天面１２にかけて、斜め方向のスリットＳが形成されており、後述する、蓋体１の開封に伴い、前記スリットＳが破断して蓋体が開封する構成である。また、前記蓋体の前面１１より下方へと連設する、下面１３には、平行するスリットＳからなるジッパ３が形成されており、該ジッパ３を切除してカートンを初期開封する構成である。
【００３８】
そして、本発明のカートン１０は、収容体２のサイドフラップ２１Ｆに形成されるロック片７が、前記サイドフラップ２１Ｆの縦方向に形成されており、カートン１０の組み立て時において、前記複数のサイドフラップ（２１Ｆ、２２Ｆ、２３Ｆ、１２Ｆ、５）を強固に貼り合わせることが可能である。さらには、底面の左右に連設する、サイドフラップ２３Ｆにも縦方向に凸片９が形成されており、カートン１０の組み立て時において、前記サイドフラップ（２１Ｆ、２２Ｆ、２３Ｆ、１２Ｆ、５）を強固に貼り合わせることが可能である。
【００３９】
よって、カートン１０の側面部分の強度を向上し、カートン１０の側面部分において、蓋体１と収容体２とを確実にロックすることが可能であり、カートン１０のロック性能を向上することが可能である。
【００４０】
また、前記蓋体１の、前面１１に連設するサイドフラップ５には、ロック片７を掛止するためのロック溝６が形成されており、前記収容体のロック片７が、蓋体のロック溝６へと係止することで、蓋体を収容体へとロックすることが可能である。さらには、前記サイドフラップ２２Ｆに切欠き８が形成されており、前記ロック片７および凸片９が、前記サイドフラップ２１Ｆの切欠き８へと入り込む構成である。これにより、前記ロック片７および凸片の納まりが良くなり、蓋体の開閉をスムースに行うことが可能である。
【００４１】
そして、このようなブランクから本発明のカートン１０を組み立てる際には、図１１（ａ）に示すように、後面２３と底面２２間を折り込み、次に前面１１と天面１２間を折り込み、下面１３を底面２２へと貼り合わせて、図１１（ｂ）に示すように、スリーブ状のカートンを形成する。この時、図１１（ｃ）に示すように（図１１（ｂ）の裏面）、天面１２のサイドフラップ１２Ｆと後面２３のサイドフラップ２３Ｆの間には隙間があるので、サイドフラップ２３Ｆの凸片９がこの隙間に入り込み、カートンを引き起こす時に、サイドフラップ２３Ｆの凸片９が折れ曲がる事がない。なお図１１（ａ）の底面２２の横長で中が破線となっている部分は接着剤を貼付している部分を示している。
そして、このスリーブ状のカートンを引き起こして筒状のカートンを形成し、内容物を充填した後、図１２（ａ）に示すように、まず、左右のサイドフラップ２１Ｆ，２３Ｆを折り込み、底面のサイドフラップ２２Ｆを折り込む。
【００４２】
このとき、左右のサイドフラップ２１Ｆ，２３Ｆに形成されたロック片７および凸片９が、天面のサイドフラップ１２Ｆに当接するため、左右のサイドフラップ２３Ｆ，２１Ｆがカートンの内部へと入り込むことを防ぎ、前記底面のサイドフラップ２２Ｆを、左右のサイドフラップ２１Ｆ，２３Ｆへと強固に貼り合わせることが可能である。
【００４３】
そして、図１２（ｂ）に示すように、サイドフラップ５を内方へと折り込んだ後、最後に、天面１２のサイドフラップ１２Ｆとともに前記ロック片７および凸片９を下方へと折り込み、貼り合わせることで、図１３（ａ）（ｂ）に示すように、本発明のカートン１０を形成することが可能である。
【００４４】
本発明のカートン１０の開封時には、図１３（ｂ）に示すように、下面１３のジッパ３を切除して、蓋体１を持ち上げることにより、図１４（ａ）に示すように、カートン１０の蓋体を容易に開封することが可能である。
【００４５】
また、カートンの閉封時には、図１４（ｂ）に示すように、蓋体１を閉じるだけで、収容部のロック片７が、蓋体のサイドフラップ５上部のロック溝６へと入り込み、ロック片７とロック溝６とが係止して、蓋体１をロックすることが可能である。
【００４６】
特に、本発明のカートン１０は、カートン１０の側面部分の各サイドフラップ（５，１２Ｆ，２１Ｆ，２２Ｆ，２３Ｆ）を強固に貼り合わせることが可能であり、このため、カートン１０の側面部分の強度が向上し、カートン１０の側面部分において、蓋体１と収容体２とを確実にロックすることが可能である。よって、蓋体の度重なる開閉により、カートンの側面部分の強度が低下することなく、カートンのロック性能が低下することを防止することが可能であり、カートンの強度およびロック性能を向上したカートンを提供することが可能である。
【００４７】
なお、図１０乃至図１４に示した実施例では（特に図１０参照）、サイドフラップ１２Ｆから天面１２にかけて、斜め方向のスリットＳが形成されている。他方図２乃至図９の実施例では（特に図２参照）、蓋体１の、天面１２の左右に連接するサイドフラップ１２Ｆには、斜め方向のスリットＳが形成されている。図１０のスリットＳは、図２のスリットＳに比較して、糊代がサイドフラップ１２Ｆから天面１２にかけて大きくとれる。図２のスリットＳは、サイドフラップ１２Ｆの部分でしか糊代が取れない。従って図１０の実施例のスリットＳを採用した場合には、収容体２のサイドフラップ２２Ｆや、後面２３とサイドフラップ２２Ｆとの連結部分の強度の強化を図れる点に利点がある。
【００４８】
以上のように、本発明のカートン１０は、収容体２と蓋体１とが縦方向に連設してなる、カートン１０において、前記収容体２の左右に連設するサイドフラップに、ロック片７を形成するとともに、前記蓋体１の左右に連設するサイドフラップが前記蓋体１の内側部分に貼りあわされてなる、ロック溝６を形成して、前記収容体２のロック片７と前記蓋体１のロック溝６とが、互いに係合することにより、カートン１０の側面部分において、前記蓋体１と前記収容体２とがロックされる、ロック機構を有するカートン１０であって、前記収容体２の前記ロック片７が、前記サイドフラップの縦方向に形成されることにより、カートンの側面部分の各サイドフラップが強固に貼りあわされることを特徴とするから、カートン組み立て時において、カートン１０の側面部分の各サイドフラップを強固に貼り合わせることが可能である。よって、カートン１０の側面部分の強度を向上し、カートン１０の側面部分において、蓋体１と収容体２とを確実にロックすることが可能であり、カートン１０のロック性能を向上することが可能である。
【図面の簡単な説明】
【００４９】
【図１】（ａ）（ｂ）本発明のカートンの一例を示す説明図である。
【図２】ブランクの一例を示す図である。
【図３】（ａ）（ｂ）（ｃ）カートンを組み立てる際の一例を示す説明図である。
【図４】（ａ）（ｂ）カートンを組み立てる際の一例を示す説明図である。
【図５】（ａ）（ｂ）カートンを組み立てる際の一例を示す説明図である。
【図６】（ａ）（ｂ）カートンを組み立てる際の一例を示す説明図である。
【図７】（ａ）（ｂ）カートンの開封を示す説明図である。
【図８】（ａ）（ｂ）カートンの開封を示す説明図である。
【図９】（ａ）（ｂ）カートンのロック機構を示す説明図である。
【図１０】ブランクの一例を示す図である。
【図１１】（ａ）（ｂ）（ｃ）カートンを組み立てる際の一例を示す説明図である。
【図１２】（ａ）（ｂ）カートンを組み立てる際の一例を示す説明図である。
【図１３】（ａ）（ｂ）本発明のカートンの一例を示す説明図である。
【図１４】（ａ）（ｂ）カートンの開封および閉封を示す説明図である。
【図１５】（ａ）（ｂ）従来のカートンを示す図である。
【図１６】従来のカートンのブランクを示す図である。
【図１７】（ａ）（ｂ）従来のカートンにおける組み立て時の一例を示す説明図である。
【図１８】（ａ）（ｂ）従来のカートンを示す図である。
【図１９】従来のカートンのブランクを示す図である。
【図２０】（ａ）（ｂ）従来のカートンにおける組み立て時の一例を示す説明図である。
【符号の説明】
【００５０】
１  蓋体
２  収容体
３  ジッパ
４  ヒンジ
５  サイドフラップ（蓋体の前面の左右のサイドフラップ）
６  ロック溝
７  ロック片
８  切欠き
９  凸片
１０  ロック機構を有するカートン（カートン）
１１  前面（蓋体の前面）
１２  天面（蓋体の天面）
２１  前面（収容体の前面）
２２  底面（収容体の底面）
２３  後面（収容体の後面）
１２Ｆ  サイドフラップ（蓋体の天面の左右のサイドフラップ）
２１Ｆ  サイドフラップ（収容体の前面の左右のサイドフラップ）
２２Ｆ  サイドフラップ（収容体の底面の左右のサイドフラップ）
２３Ｆ  サイドフラップ（収容体の後面の左右のサイドフラップ）
Ｓ  スリット
Ｂ  内容物
【図１】
2010013130.tif 000003
【図２】
2010013130.tif 000004
【図３】
2010013130.tif 000005
【図４】
2010013130.tif 000006
【図５】
2010013130.tif 000007
【図６】
2010013130.tif 000008
【図７】
2010013130.tif 000009
【図８】
2010013130.tif 000010
【図９】
2010013130.tif 000011
【図１０】
2010013130.tif 000012
【図１１】
2010013130.tif 000013
【図１２】
2010013130.tif 000014
【図１３】
2010013130.tif 000015
【図１４】
2010013130.tif 000016
【図１５】
2010013130.tif 000017
【図１６】
2010013130.tif 000018
【図１７】
2010013130.tif 000019
【図１８】
2010013130.tif 000020
【図１９】
2010013130.tif 000021
【図２０】
2010013130.tif 000022